【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
発射手段によって第１の遊技領域に向けて発射された遊技球が入球可能な第１始動口と、
前記発射手段によって前記第１の遊技領域とは異なる第２の遊技領域に向けて発射された遊技球が入球可能な第２始動口と、
前記第１始動口または前記第２始動口に遊技球が入球することにより、遊技者に有利な特別遊技を行うか否かを判定する特別遊技判定手段と、
前記特別遊技判定手段により前記特別遊技を行うと判定されると、前記特別遊技を行わせる特別遊技制御手段と、
所定条件が成立することにより、前記第２始動口を開状態に作動させる補助遊技を行わせる補助遊技制御手段と、
前記特別遊技制御手段により前記特別遊技が行われた後に、所定の期間が終了するまで、前記第２始動口に遊技球が入球し易くなるように前記補助遊技制御手段による前記補助遊技が行われる特定遊技状態で遊技を制御してから、該特定遊技状態よりも前記第２始動口に遊技球が入球し難くなるように前記補助遊技制御手段による前記補助遊技が行われる通常遊技状態で遊技を制御する遊技状態制御手段と、
前記遊技状態制御手段により前記通常遊技状態での遊技の制御が開始されると、第１の報知手段又は第２の報知手段を用いて、前記第１の遊技領域に遊技球を発射させることを促す報知演出を行わせる報知演出制御手段と、
を備え、
前記補助遊技制御手段は、
前記遊技状態制御手段により前記特定遊技状態で遊技が制御されているときに前記所定条件が成立すると、所定の開放時間にわたって前記第２始動口を前記開状態に作動させる補助遊技を行わせ、
前記報知演出制御手段は、
前記通常遊技状態での遊技の制御の開始から前記開放時間が経過するまでにおいては、前記第１の報知手段を用いて前記報知演出を行わせ、前記通常遊技状態での遊技の制御の開始から前記開放時間が経過した後の所定のタイミング以降においては、前記第１の報知手段及び前記第２報知手段を用いて前記報知演出を行わせることが可能であることを特徴とする遊技機。
【請求項２】
発射手段によって第１の遊技領域に向けて発射された遊技球が入球可能な第１始動口と、
前記発射手段によって前記第１の遊技領域とは異なる第２の遊技領域に向けて発射された遊技球が入球可能な第２始動口と、
前記第１始動口または前記第２始動口に遊技球が入球することにより、遊技者に有利な特別遊技を行うか否かを判定する特別遊技判定手段と、
前記特別遊技判定手段により前記特別遊技を行うと判定されると、前記特別遊技を行わせる特別遊技制御手段と、
所定条件が成立することにより、前記第２始動口を開状態に作動させる補助遊技を行わせる補助遊技制御手段と、
前記特別遊技制御手段により前記特別遊技が行われた後に、所定の期間が終了するまで、前記第２始動口に遊技球が入球し易くなるように前記補助遊技制御手段による前記補助遊技が行われる特定遊技状態で遊技を制御してから、該特定遊技状態よりも前記第２始動口に遊技球が入球し難くなるように前記補助遊技制御手段による前記補助遊技が行われる通常遊技状態で遊技を制御する遊技状態制御手段と、
前記遊技状態制御手段により前記通常遊技状態での遊技の制御が開始されると、第１の報知手段又は第２の報知手段を用いて、前記第１の遊技領域に遊技球を発射させることを促す報知演出を行わせる報知演出制御手段と、
を備え、
前記補助遊技制御手段は、
前記遊技状態制御手段により前記特定遊技状態で遊技が制御されているときに前記所定条件が成立すると、所定の開放時間にわたって前記第２始動口を継続的または断続的に前記開状態に作動させる補助遊技を行わせ、
前記報知演出制御手段は、
前記通常遊技状態での遊技の制御が開始されたときに前記補助遊技制御手段により前記補助遊技が行われていた場合、前記通常遊技状態での遊技の制御の開始から当該補助遊技が終了するまでにおいては、前記第１の報知手段を用いて前記報知演出を行わせ、前記通常遊技状態での遊技の制御の開始から当該補助遊技が終了した以降においては、前記第１の報知手段及び前記第２の報知手段を用いて前記報知演出を行わせることが可能であることを特徴とする遊技機。
【手続補正２】
【補正対象書類名】明細書
【補正対象項目名】０００８
【補正方法】変更
【補正の内容】
【０００８】
上記目的を達成するため、請求項１に係る発明は、遊技機(1)であって、発射手段(36a)によって第１の遊技領域に向けて発射された遊技球が入球可能な第１始動口(13)と、発射手段(36a)によって第１の遊技領域とは異なる第２の遊技領域に向けて発射された遊技球が入球可能な第２始動口(14)と、第１始動口(13)または第２始動口(14)に遊技球が入球することにより、遊技者に有利な特別遊技を行うか否かを判定する特別遊技判定手段(52)と、特別遊技判定手段(52)により特別遊技を行うと判定されると、特別遊技を行わせる特別遊技制御手段(55)と、所定条件が成立することにより、第２始動口(14)を開状態に作動させる補助遊技を行わせる補助遊技制御手段(57)と、特別遊技制御手段(55)により特別遊技が行われた後に、所定の期間が終了するまで、第２始動口(14)に遊技球が入球し易くなるように補助遊技制御手段(57)による補助遊技が行われる特定遊技状態(ST3)で遊技を制御してから、該特定遊技状態(ST3)よりも第２始動口(14)に遊技球が入球し難くなるように補助遊技制御手段(57)による補助遊技が行われる通常遊技状態(ST1)で遊技を制御する遊技状態制御手段(56)と、遊技状態制御手段(56)により通常遊技状態(ST1)での遊技の制御が開始されると、第１の報知手段又は第２の報知手段を用いて、前記第１の遊技領域に遊技球を発射させることを促す報知演出を行わせる報知演出制御手段(71a)と、を備え、補助遊技制御手段(57)は、遊技状態制御手段(55)により特定遊技状態(ST3)で遊技が制御されているときに所定条件が成立すると、所定の開放時間(Td)にわたって第２始動口(14)を開状態に作動させる補助遊技を行わせ、報知演出制御手段(71a)は、通常遊技状態(ST1)での遊技の制御の開始から開放時間(Td)が経過するまでにおいては、前記第１の報知手段を用いて前記報知演出を行わせ、通常遊技状態(ST1)での遊技の制御の開始から開放時間(Td)が経過した後の所定のタイミング以降においては、前記第１の報知手段及び前記第２報知手段を用いて前記報知演出を行わせることが可能であることを特徴とする構成である。
【手続補正３】
【補正対象書類名】明細書
【補正対象項目名】０００９
【補正方法】変更
【補正の内容】
【０００９】
請求項２に係る発明は、遊技機(1)であって、発射手段(36a)によって第１の遊技領域に向けて発射された遊技球が入球可能な第１始動口(13)と、発射手段(36a)によって第１の遊技領域とは異なる第２の遊技領域に向けて発射された遊技球が入球可能な第２始動口(14)と、第１始動口(13)または第２始動口(14)に遊技球が入球することにより、遊技者に有利な特別遊技を行うか否かを判定する特別遊技判定手段(52)と、特別遊技判定手段(52)により特別遊技を行うと判定されると、特別遊技を行わせる特別遊技制御手段(55)と、所定条件が成立することにより、第２始動口(14)を開状態に作動させる補助遊技を行わせる補助遊技制御手段(57)と、特別遊技制御手段(55)により特別遊技が行われた後に、所定の期間が終了するまで、第２始動口(14)に遊技球が入球し易くなるように補助遊技制御手段(57)による補助遊技が行われる特定遊技状態(ST3)で遊技を制御してから、該特定遊技状態(ST3)よりも第２始動口(14)に遊技球が入球し難くなるように補助遊技制御手段(57)による補助遊技が行われる通常遊技状態(ST1)で遊技を制御する遊技状態制御手段(56)と、遊技状態制御手段(56)により通常遊技状態(ST1)での遊技の制御が開始されると、第１の報知手段又は第２の報知手段を用いて、前記第１の遊技領域に遊技球を発射させることを促す報知演出を行わせる報知演出制御手段(71a)と、を備え、補助遊技制御手段(71a)は、遊技状態制御手段(55)により特定遊技状態(ST3)で遊技が制御されているときに所定条件が成立すると、所定の開放時間(Td)にわたって第２始動口(14)を継続的または断続的に開状態に作動させる補助遊技を行わせ、報知演出制御手段(71a)は、通常遊技状態(ST1)での遊技の制御が開始されたときに補助遊技制御手段(57)により補助遊技が行われていた場合、前記通常遊技状態(ST1)での遊技の制御の開始から当該補助遊技が終了するまでにおいては、前記第１の報知手段を用いて前記報知演出を行わせ、前記通常遊技状態(ST1)での遊技の制御の開始から当該補助遊技が終了した以降においては、前記第１の報知手段及び前記第２の報知手段を用いて前記報知演出を行わせることが可能であることを特徴とする構成である。